(57)【特許請求の範囲】
【請求項１】
離間して設置された支柱を連結するための桁材であって、
支柱間に設置される筒状の桁材本体と、前記支柱に連結される連結部と、前記桁材本体の端部および前記連結部に接続され前記桁材本体の端部から前記支柱への長さを調整可能な調整接続部とを具備し、
前記調整接続部は、前記桁材本体の端部に接続され前記桁材本体の軸方向における前記端部からの長さを所定の間隔で調整可能な第１の調整部材と、前記連結部に接続され前記桁材本体の軸方向における前記支柱への長さを前記第１の調整部材の調整間隔とは異なる間隔で調整可能な第２の調整部材とを有する
ことを特徴とする桁材。
【請求項２】
第１の調整部材および第２の調整部材は、長さを調整した状態にてそれぞれボルトで固定され、
これら第１の調整部材および第２の調整部材の一方は、桁材本体の軸方向において前記ボルトの直径より長い間隔で長さ調整可能で、
前記第１の調整部材および前記第２の調整部材の他方は、桁材本体の軸方向において前記ボルトの直径より短い間隔で長さ調整可能である
ことを特徴とする請求項１記載の桁材。
【請求項３】
第１の調整部材は、桁材本体に進退可能に接続される第１の接続体と、前記桁材本体および前記第１の接続体の一方に設けられ少なくとも１つの貫通孔を有する第１の選択孔部と、前記桁材本体および前記第１の接続体の他方に設けられ貫通孔を有する第１の固定孔部とを有し、前記第１の選択孔部の貫通孔と前記第１の固定孔部の貫通孔とがボルトで固定されることにより、前記桁材本体に対して前記第１の接続体が固定され、
第２の調整部材は、前記第１の接続体と一体に移動し連結部に対して進退可能に接続される第２の接続体と、前記連結部および前記第２の接続体の一方に設けられ少なくとも１つの貫通孔を有する第２の選択孔部と、前記連結部および前記第２の接続体の他方に設けられ貫通孔を有する第２の固定孔部とを有し、前記第２の選択孔部の貫通孔と前記第２の固定孔部の貫通孔とがボルトで固定されることにより、前記連結部に対して前記第２の接続体が固定され、
前記第１の選択孔部および第２の選択孔部の一方は、前記貫通孔が前記桁材本体の軸方向に沿って所定の間隔で配置され、
前記第１の選択孔部および第２の選択孔部の他方は、前記貫通孔が前記桁材本体の軸方向とは異なる方向に変位して配置されている
ことを特徴とする請求項１または２記載の桁材。
【発明の詳細な説明】
【技術分野】
【０００１】
本発明は、離間して設置された支柱を連結するための桁材に関する。
【背景技術】
【０００２】
野球場やゴルフ場やテニスコート等の球技施設では、打球が施設から飛び出してしまわないように、防球ネットが設置される。
【０００３】
この種の防球ネットは、一般的に、互いに離間して設置された複数の支柱の間にワイヤ等を介して張設される。
【０００４】
ここで、防球ネットが張設される支柱は、隣り合う支柱同士を強固に固定するために、上部同士が桁材で連結される。
【０００５】
このような桁材としては、筒状の桁材本体の端部の内周面に雌ねじ部が設けられ、この雌ねじ部に螺着可能な雄ねじ部を有する受け筒のねじ込み量を調整することにより、支柱への長さを調整可能な構成が知られている（例えば、特許文献１参照。）。
【先行技術文献】
【特許文献】
【０００６】
【特許文献１】実公平４−４７６９号公報
【発明の概要】
【発明が解決しようとする課題】
【０００７】
しかしながら、上述の特許文献１の構成では、受け筒のねじ込み量を調整することにより正確に長さを調整できるが、桁材の端部に雌ねじ部を形成する必要があるとともに、雌ねじ部に螺着可能な雄ねじ部を有する受け筒を用意する必要があるため、長さ調整のための構成が複雑化し、その結果、製造コストが上昇してしまう。
【０００８】
本発明はこのような点に鑑みなされたもので、簡単な構成で正確に長さを調整できる桁材を提供することを目的とする。
【課題を解決するための手段】
【０００９】
請求項１に記載された桁材は、離間して設置された支柱を連結するための桁材であって、支柱間に設置される筒状の桁材本体と、前記支柱に連結される連結部と、前記桁材本体の端部および前記連結部に接続され前記桁材本体の端部から前記支柱への長さを調整可能な調整接続部とを具備し、前記調整接続部は、前記桁材本体の端部に接続され前記桁材本体の軸方向における前記端部からの長さを所定の間隔で調整可能な第１の調整部材と、前記連結部に接続され前記桁材本体の軸方向における前記支柱への長さを前記第１の調整部材の調整間隔とは異なる間隔で調整可能な第２の調整部材とを有するものである。
【００１０】
請求項２に記載された桁材は、請求項１記載の桁材において、第１の調整部材および第２の調整部材は、長さを調整した状態にてそれぞれボルトで固定され、これら第１の調整部材および第２の調整部材の一方は、桁材本体の軸方向において前記ボルトの直径より長い間隔で長さ調整可能で、前記第１の調整部材および前記第２の調整部材の他方は、桁材本体の軸方向において前記ボルトの直径より短い間隔で長さ調整可能であるものである。
【００１１】
請求項３に記載された桁材は、請求項１または２記載の桁材において、第１の調整部材は、桁材本体に進退可能に接続される第１の接続体と、前記桁材本体および前記第１の接続体の一方に設けられ少なくとも１つの貫通孔を有する第１の選択孔部と、前記桁材本体および前記第１の接続体の他方に設けられ貫通孔を有する第１の固定孔部とを有し、前記第１の選択孔部の貫通孔と前記第１の固定孔部の貫通孔とがボルトで固定されることにより、前記桁材本体に対して前記第１の接続体が固定され、第２の調整部材は、前記第１の接続体と一体に移動し連結部に対して進退可能に接続される第２の接続体と、前記連結部および前記第２の接続体の一方に設けられ少なくとも１つの貫通孔を有する第２の選択孔部と、前記連結部および前記第２の接続体の他方に設けられ貫通孔を有する第２の固定孔部とを有し、前記第２の選択孔部の貫通孔と前記第２の固定孔部の貫通孔とがボルトで固定されることにより、前記連結部に対して前記第２の接続体が固定され、前記第１の選択孔部および第２の選択孔部の一方は、前記貫通孔が前記桁材本体の軸方向に沿って所定の間隔で配置され、前記第１の選択孔部および第２の選択孔部の他方は、前記貫通孔が前記桁材本体の軸方向とは異なる方向に変位して配置されているものである。
【発明の効果】
【００１２】
請求項１に記載された発明によれば、調整接続部が互いに調整間隔が異なる第１の調整部材と第２の調整部材とを有するため、簡単な構成で正確に長さを調整できる。
【００１３】
請求項２に記載された発明によれば、第１の調整部材および第２の調整部材は長さを調整した状態をボルトで固定可能であり、桁材本体の軸方向において、第１の調整部材および第２の調整部材の一方がボルトの直径より長い間隔で長さ調整でき、第１の調整部材および第２の調整部材の他方がボルトの直径より短い間隔で長さ調整できるため、簡単な構成で正確に長さを調整できる。
【００１４】
請求項３に記載された発明によれば、第１の調整部材および第２の調整部材の一方は、第１の選択孔部の貫通孔が桁材本体の軸方向に沿って所定の間隔で配置された構成であるため、簡単な構成でボルトの直径より長い間隔で長さ調整でき、第１の調整部材および第２の調整部材の他方は、第２の選択孔部の貫通孔が桁材本体の軸方向とは異なる方向に変位して配置された構成であるため、簡単な構成でボルトの直径より短い間隔で長さ調整できる。
【図面の簡単な説明】
【００１５】
【図１】本発明の第１の実施の形態に係る桁材の構成を示す平面図である。
【図２】同上桁材を示す正面図である。
【図３】同上桁材の第１の調整部材および第２の調整部材を示す部分正面図である。
【図４】本発明の第２の実施の形態に係る桁材の構成を示す部分正面図である。
【図５】本発明の第３の実施の形態に係る桁材の構成を示す部分正面図である。
【図６】（ａ）および（ｂ）は、本発明の第４の実施の形態に係る桁材の構成を示す部分正面図である。
【発明を実施するための形態】
【００１６】
以下、本発明の第１の実施の形態の構成について図面を参照しながら詳細に説明する。
【００１７】
図１および図２において、１は桁材であり、この桁材１は、例えば野球場、テニス場およびゴルフ場等の球技施設において、図示しない防球ネットを張設するために離間して設置された隣り合う支柱２の上部に略水平に取り付けられる。そして、桁材１で上部が連結された支柱２間に、図示しない防球ネットがワイヤ等を介して張設される。
【００１８】
桁材１は、円筒状の桁材本体３の軸方向の一端部が固定接続部４および連結部５を介して一方側の支柱２に接続され、桁材本体３の軸方向の他端部が調整接続部６および連結部５を介して他方側の支柱２に接続される。すなわち、桁材本体３の一端部は、支柱２に取り付けられた連結部５に固定接続部４を介して接続され、桁材本体３の他端部は、支柱２に取り付けられた連結部５に調整接続部６を介して長さ調整可能に接続されて、桁材本体３が支柱２間に略水平に設置される。
【００１９】
連結部５は、金属製の帯状の２つ連結バンド11と、これら連結バンド11により支柱２に固定される支持部材12とを有している。
【００２０】
連結バンド11は、支柱２の周方向に沿って配設され、連結バンド11の両端部には、それぞれ固定金具13が設けられている。そして、連結バンド11を支柱２の外周面に沿って配設した状態で、固定金具13同士を緊締ボルト14および緊締ナット15にて緊締することにより、連結バンド11が支柱に固定される。
【００２１】
支持部材12は、支柱２の周方向に沿って配設され連結バンド11の緊締により支柱２に固定される断面視で円弧状の基端部16を有している。
【００２２】
この基端部16の周方向の略中央には、基端部16から桁材本体３側へ突出し互いに略平行に対向して離間した２つの略矩形板状の支持板部17が一体に設けられている。
【００２３】
また、支持板部17における基端部16側の一部には、連結バンド11を挿通可能な開口部18が設けられている。
【００２４】
さらに、支持板部17の開口部18より基端部16とは反対側である先端側には、貫通孔19が設けられている。
【００２５】
そして、支持部材12は、開口部18に連結バンド11が挿通され連結バンド11と支柱２との間に基端部16が配置された状態にて連結バンド11で緊締されることにより、支柱２に固定される。
【００２６】
固定接続部４は、桁材本体３に嵌合される円筒状の接続管部21の先端部に接続板部22が設けられおり、この接続板部22が連結部５の支持板部17に固定される。
【００２７】
接続管部21は、桁材本体３の外径よりやや大径で、桁材本体３の外側に嵌合可能である。また、接続管部21には、互いに対向する２つの貫通孔23が設けられている。
【００２８】
接続板部22は、連結部５の支持板部17間に挿入可能な略矩形板状であり、桁材本体３の軸方向における中央部よりやや先端側に貫通孔24が設けられている。
【００２９】
そして、固定接続部４は、接続管部21が桁材本体３の一端部に嵌合され、桁材本体３の一端部近傍に設けられた貫通孔25と接続管部21の貫通孔23とが重なった状態にて、これら貫通孔23および貫通孔25にボルト26が挿入されナット27が螺着されることにより、桁材本体３に対して固定される。
【００３０】
また、固定接続部４は、接続板部22が支持板部17間に挿入されて、支持板部17の貫通孔19と接続板部22の貫通孔24とが重なった状態にて、これら貫通孔19および貫通孔24にボルト28が挿入されナット29が螺着されることにより、連結部５に対して固定される。
【００３１】
調整接続部６は、図３に示すように、桁材本体３の他端部に接続される第１の調整部材31の先端側に第２の調整部材32が設けられ、この第２の調整部材32が連結部５に接続される。
【００３２】
そして、調整接続部６は、桁材本体３の軸方向において、第１の調整部材31にて桁材本体３の他端部からの長さを所定の間隔で調整可能であり、かつ、第２の調整部材32にて支柱２への長さを第１の調整部材31の調整間隔とは異なる間隔で調整可能である。
【００３３】
第１の調整部材31は、桁材本体３の他端部に進退可能に接続される円筒状の第１の接続体としての調整管部33を有している。
【００３４】
調整管部33は、桁材本体３の外径よりやや大径で、桁材本体３の外側に摺動可能に嵌合される。
【００３５】
また、調整管部33には、桁材本体３の軸方向に沿って所定の間隔で配置された複数、例えば５つの貫通孔34が設けられ、これら貫通孔34で第１の選択孔部35が構成されている。
【００３６】
この第１の選択孔部35は、桁材本体３の軸方向において、貫通孔34に挿通されるボルト36の直径より長い間隔、例えば６０ｍｍ毎の間隔で各貫通孔34が同一直線上に配置されている。
【００３７】
また、桁材本体３には、貫通孔34と同径の貫通孔38が１つ設けられており、この貫通孔38にて第１の固定孔部39が構成されている。
【００３８】
そして、第１の調整部材31では、調整管部33を桁材本体３に対して摺動させて、桁材本体３の他端部から調整管部33が突出する長さを調整可能である。
【００３９】
また、桁材本体３の他端部からの長さを調整し、第１の選択孔部35の貫通孔34の１つと第１の固定孔部39の貫通孔38とが重なった状態にて、これら貫通孔34および貫通孔38にボルト36が挿入されナット37が螺着されることにより、桁材本体３に対して長さを調整した状態で調整管部33が固定される。なお、図３では、ボルト36およびナット37が取り付けられていない状態を示す。
【００４０】
第２の調整部材32は、調整管部33と一体に移動可能で、連結部５の支持板部17に対して進退可能に接続される第２の接続体としての調整板部41を有している。
【００４１】
調整板部41は、支持板部17間に挿入可能な略矩形板状であり、調整管部33の先端部に一体に設けられている。そして、調整板部41は、調整管部33と一体に移動し、支持板部17間で連結部５に対して移動可能である。
【００４２】
また、調整板部41には、桁材本体３の軸方向とは異なる方向に変位して、例えば千鳥状に点在するように互いにずれて配置された複数、例えば７つの貫通孔42が設けられ、これら貫通孔42にて第２の選択孔部43が構成されている。
【００４３】
この第２の選択孔部43は、各貫通孔42が桁材本体３の軸方向とは異なる方向に変位して配置されることにより、桁材本体３の軸方向において、貫通孔42に挿通されるボルト44の直径より貫通孔42同士が短い間隔で配置されている。すなわち、桁材本体３の軸方向における各貫通孔42同士の中心部の距離が、例えばボルト44の直径より小さい１０ｍｍとなるように、各貫通孔42が桁材本体３の軸方向とは異なる方向に互いにずれて配置されている。
【００４４】
また、第２の選択孔部43は、桁材本体３の軸方向における各貫通孔42の間隔の合計の長さ（桁材本体３の軸方向において最も外側に位置する貫通孔42同士の中心部間の長さ）Ｌ１が、第１の選択孔部35における貫通孔34の間隔の１つの長さ以下となる構成が好ましい。すなわち、第１の選択孔部35の貫通孔34が桁材本体３の軸方向において６０ｍｍ毎に配置されている場合には、第２の選択孔部43では、桁材本体３の軸方向において、１０ｍｍ毎にずれるように７つの貫通孔42が桁材本体３の軸方向とは異なる方向に変位して配置され、１０ｍｍ毎に６段階で合計６０ｍｍの範囲で微調整できる構成等が好ましい。
【００４５】
さらに、連結部５の支持板部17に設けられた貫通孔19にて第２の固定孔部46が構成されている。
【００４６】
そして、第２の調整部材32では、調整板部41を支持板部17間で移動させて連結部５に対する調整板部41の位置を調整し、第２の選択孔部43の貫通孔42と第２の固定孔部46の貫通孔19とが重なった状態にて、これら貫通孔42および貫通孔19にボルト44が挿入されナット45が螺着されることにより、調整板部41が支持板部17に対して固定される。
【００４７】
次に、上記第１の実施の形態の作用および効果を説明する。
【００４８】
支柱２の上部同士を桁材１で連結する際には、連結バンド11で支柱２の上部に支持部材12を固定して連結部５を取り付けた状態にて、桁材本体３の一端側を固定接続部４を介して連結部５に連結した後に、桁材本体３の他端側を調整接続部６を介して連結部５に連結する。
【００４９】
桁材本体３の一端側を連結部５に連結する際には、桁材本体３の一端部に固定接続部４の接続管部21を嵌合し、貫通孔23と貫通孔25とを重ねた状態にして、貫通孔23および貫通孔25にボルト26を挿入しナット27を螺着することで、桁材本体３に対して固定接続部４を固定する。
【００５０】
また、このように桁材本体３に固定された固定接続部４の先端部に設けられた接続板部22を支持板部17間に挿入し、貫通孔24と貫通孔19とを重ねた状態にして、貫通孔24および貫通孔19にボルト28を挿入しナット29を螺着することで、連結部５に対して固定接続部４を固定する。
【００５１】
次いで、桁材本体３の他端側を連結部５に連結する際には、桁材本体３の他端部に調整管部33を嵌合する。
【００５２】
また、桁材本体３に対して調整管部33を軸方向に沿って摺動させることにより、調整管部33に設けられた第１の選択孔部35の貫通孔34の１つと、桁材本体３に設けられた第１の固定孔部39の貫通孔38とが重なる間隔で、桁材本体３の他端部からの調整管部33の突出長さを調整する。すなわち、第１の調整部材31によって、桁材本体３の軸方向における桁材本体３の他端部からの長さを、第１の選択孔部35の各貫通孔34の間隔、例えばボルト36の直径より長い６０ｍｍ毎の間隔で調整する。
【００５３】
このように第１の調整部材31にて桁材本体３の他端部からの長さを調整し、第１の選択孔部35の貫通孔34のうちの１つと第１の固定孔部39の貫通孔38とを重ねた状態にして、これら貫通孔34および貫通孔38にボルト36を挿入しナット37を螺着することによって、桁材本体３に対して調整管部33を固定する。
【００５４】
調整管部33を桁材本体３に固定した後、調整管部33の先端に設けられた調整板部41を支持板部17間に挿入する。
【００５５】
また、調整板部41に設けられた第２の選択孔部43の貫通孔42の１つと、支持板部17に設けられた第２の固定孔部46の貫通孔19とを重ねるように、支持板部17間で調整板部41を移動させて、連結部５に対する調整板部41の位置を調整する。すなわち、調整板部41を支持板部17間で移動させることで、第２の調整部材32によって、桁材本体３の軸方向における支柱２への長さを、第１の調整部材31の調整間隔より短い間隔、例えばボルト44の直径より短い１０ｍｍ毎の間隔で微調整する。
【００５６】
このように第２の調整部材32にて桁材本体３の軸方向における支柱２への長さを微調整し、第２の選択孔部43の貫通孔42のうちの１つと第２の固定孔部46の貫通孔19とを重ねた状態にして、これら貫通孔42および貫通孔19にボルト44を挿入しナット45を螺着することによって、支持板部17に対して調整板部41を固定する。
【００５７】
そして、上記桁材１によれば、調整接続部６は桁材本体３の軸方向における調整間隔が互いに異なる第１の調整部材31と第２の調整部材32とを有するため、第１の調整部材31と第２の調整部材32とでそれぞれ異なる間隔で長さ調整して、支柱２間の長さに正確に対応できる。
【００５８】
具体的には、第１の調整部材31の調整間隔より第２の調整部材32の調整間隔が短いことにより、第１の調整部材31にて大まかに長さを調整した後に、第２の調整部材32にて長さを微調整することで、正確に長さを調整できる。
【００５９】
また、桁材１は、第１の調整部材31および第２の調整部材32にてそれぞれ異なる間隔で長さ調整して所望の長さに調整できるため、第１の調整部材31および第２の調整部材32は、長さを調整した状態をボルト36，44で固定する簡単な構成にできる。すなわち、筒状部材である桁材本体３および調整管部33や、板状部材である支持板部17および調整板部41にそれぞれ貫通孔34，38，19，42が設けられ、これら貫通孔34，38，19，42をボルト36，44およびナット37，45で固定する構成であるため、従来のねじ込み量により長さを調整する構成に比べて、雌ねじ部や雄ねじ部を加工する必要がなく、簡単な構成にできる。
【００６０】
第１の調整部材31は、第１の選択孔部35が桁材本体３の軸方向に沿って所定の間隔で配置された貫通孔34を有するため、簡単な構成で、桁材本体３の軸方向においてボルト36の直径より長い間隔で長さ調整できる。
【００６１】
第２の調整部材32は、第２の選択孔部43が桁材本体３の軸方向とは異なる方向に変位して配置された貫通孔42を有するため、簡単な構成で、桁材本体３の軸方向においてボルト44の直径より短い間隔で長さを調整できる。
【００６２】
このように第１の調整部材31がボルト36の直径より長い間隔で長さ調整でき、第２の調整部材32がボルト44の直径より短い間隔で長さ調整できるため、長さを調整した状態を固定するボルト36，44の大きさや形状に影響されることなく、正確に長さを調整できる。
【００６３】
また、第１の調整部材31および第２の調整部材32は、桁材本体３の軸方向における第２の選択孔部43の各貫通孔42の間隔の合計の長さＬ１が、第１の選択孔部35における貫通孔34の間隔の１つの長さ以下であることにより、第１の調整部材31で大まかに長さを調整した後に、第２の調整部材32にて、第１の選択孔部35の貫通孔34の間隔１つ分の範囲で長さを微調整できるため、より正確に長さ調整できる。
【００６４】
さらに、桁材１は、調整接続部６の第１の調整部材31および第２の調整部材32を操作するだけで長さを調整でき、桁材本体３を操作する必要がないため、長さ調整の際の作業性が良好である。
【００６５】
なお、上記第１の実施の形態では、桁材本体３の一端部が固定接続部４を介して連結部５に連結され、桁材本体３の他端部が調整接続部６を介して連結部５に連結された構成としたが、このような構成には限定されず、例えば桁材本体３の両端部が調整接続部６を介して連結部５に連結された構成等にしてもよい。
【００６６】
調整接続部６は、第１の調整部材31にて桁材本体３の軸方向においてボルト36の直径より長い間隔で長さ調整可能で、かつ、第２の調整部材32にて桁材本体３の軸方向においてボルト44の直径より短い間隔で長さ調整可能である構成としたが、第１の調整部材31と第２の調整部材32とが異なる調整間隔で長さ調整可能な構成であればよく、第１の調整部材31および第２の調整部材32の調整間隔は、それぞれ適宜決定できる。また、例えば第１の調整部材31の調整間隔より第２の調整部材32の調整間隔の方が長い構成等にしてもよい。
【００６７】
第１の調整部材31および第２の調整部材32は、長さ調整した状態にてボルト36，44で固定可能な構成としたが、このような構成には限定されず、第１の調整部材31および第２の調整部材32の長さ調整後の固定手段は適宜選択できる。
【００６８】
第１の調整部材31は、第１の接続体としての調整管部33が桁材本体３に摺動可能に嵌合される構成としたが、このような構成には限定されず、第１の接続体が桁材本体３に対して進退可能に接続され、桁材本体３からの長さを調整できる構成であればよい。
【００６９】
また、第１の調整部材31が調整管部33を有する構成の場合には、調整管部33が桁材本体３の外側に嵌合される構成には限定されず、調整管部33が桁材本体３の内側に嵌合される構成にしてもよい。
【００７０】
さらに、第１の調整部材31では、第１の選択孔部35が調整管部33に設けられ、第１の固定孔部39が桁材本体３に設けられた構成としたが、このような構成には限定されず、第１の選択孔部35が桁材本体３に設けられ、第１の固定孔部39が調整管部33に設けられた構成にしてもよい。
【００７１】
また、第１の選択孔部35は、貫通孔34が桁材本体３の軸方向に沿って同一直線上に配置された構成には限定されず、第１の調整部材31が桁材本体３の軸方向に沿って所定の間隔で長さ調整可能な構成であれば、貫通孔34の形状や数や配置は適宜決定できる。
【００７２】
第２の調整部材32は、第２の接続体としての接続板部22が支持板部17間で移動可能に接続される構成としたが、このような構成には限定されず、第２の接続体が連結部５に進退可能に接続され、支柱２への長さを調整可能な構成であればよい。
【００７３】
また、第２の調整部材32は、調整板部41に各貫通孔42が桁材本体３の軸方向とは異なる方向に互いにずれて配置された構成としたが、このような構成には限定されず、第２の選択孔部43を構成する貫通孔42の形状や数や配置は適宜決定できる。
【００７４】
次に、第２の実施の形態を図４を参照して説明する。なお、上記実施の形態と同一の構成及び作用については、同一符号を付してその説明を省略する。
【００７５】
この第２の実施の形態では、図４に示すように、調整板部41には、第２の選択孔部51を構成する細長形状の貫通孔52が設けられている。
【００７６】
また、この貫通孔52は、桁材本体３の軸方向とは異なる方向に連続して変位するように、すなわち、桁材本体３の軸方向に対して傾斜状に延びるように配置されている。
【００７７】
そして、貫通孔52と貫通孔19とが重なった状態にて、貫通孔52に沿って貫通孔19が移動するように、支持板部17に対して調整板部41を桁材本体３の軸方向に対し斜めに移動させることによって、第２の調整部材32で桁材本体３の軸方向における支柱２への長さを連続的に微調整できる。
【００７８】
したがって、上記第２の実施の形態によれば、第１の調整部材31にて大まかな長さを調整した後に、第２の調整部材32にて桁材本体３の軸方向における支柱２への長さを第１の調整部材31の調整間隔より短くボルト44の直径より短い調整間隔で微調整でき、ボルト44の大きさや形状に影響されることなく、簡単な構成で所望の長さに正確に調整できる。
【００７９】
なお、この第２の実施の形態のように、細長形状の貫通孔52を桁材本体３の軸方向に対して斜めに配置する場合には、桁材本体３の軸方向における貫通孔52領域の長さ（桁材本体３の軸方向において、貫通孔52の一端部にボルト44が配置された場合におけるボルト44の中心部と、貫通孔52の他端部にボルト44が配置された場合におけるボルト44の中心部との間の長さ）Ｌ２が、第１の調整部材31の貫通孔５の間隔の１つの長さ以下となる構成が好ましい。より具体的には、例えば、貫通孔34が桁材本体３の軸方向に沿って５０ｍｍ毎に離間して配置され、貫通孔52が配置された領域における桁材本体３の軸方向の長さＬ２が５０ｍｍ以下となる構成等が好ましい。
【００８０】
次に、第３の実施の形態を図５を参照して説明する。なお、上記実施の形態と同一の構成及び作用については、同一符号を付してその説明を省略する。
【００８１】
この第３の実施の形態は、図５に示すように、調整板部41には、第２の選択孔部61を構成する複数、例えば５つの貫通孔62が設けられている。
【００８２】
また、これら貫通孔62は、桁材本体３の軸方向とは異なる方向に変位するように、桁材本体３の軸方向に対して傾斜した直線上に配置されている。
【００８３】
そして、貫通孔62と貫通孔19とを重ねるように、支持板部17に対して調整板部41を桁材本体３の軸方向に対して斜めに移動させることによって、第２の調整部材32で桁材本体３の軸方向における支柱２への長さを微調整できる。
【００８４】
したがって、上記第３の実施の形態によれば、第１の調整部材31にて大まかな長さを調整した後に、第２の調整部材32にて桁材本体３の軸方向における支柱２への長さを第１の調整部材31の調整間隔より短くボルト44の直径より短い調整間隔で微調整でき、ボルト44の大きさや形状に影響されることなく、簡単な構成で所望の長さに正確に調整できる。
【００８５】
なお、この第３の実施の形態のように、細長形状の貫通孔62を桁材本体３の軸方向に対して傾斜した直線上に配置する場合には、桁材本体３の軸方向における貫通孔62が設けられた領域の長さ（桁材本体３の軸方向において最も外側に位置する貫通孔62同士の中心部間の長さ）Ｌ３が、第１の調整部材31の貫通孔34の間隔の１つの長さ以下となる構成が好ましい。より具体的には、例えば、貫通孔34が桁材本体３の軸方向に沿って４０ｍｍ毎に離間して配置されているとともに、各貫通孔62が桁材本体３の軸方向における貫通孔62同士の中心部間の距離が１０ｍｍとなるように配置され、貫通孔62が配置された領域における桁材本体３の軸方向の長さＬ３が４０ｍｍとなる構成等が好ましい。
【００８６】
次に、第４の実施の形態を図６を参照して説明する。なお、上記実施の形態と同一の構成及び作用については、同一符号を付してその説明を省略する。
【００８７】
この第４の実施の形態では、図６（ｂ）に示すように、桁材本体71の端部近傍には、第１の選択孔部72を構成する貫通孔73が軸方向に沿って所定の間隔、例えば３０ｍｍ毎の間隔で設けられている。
【００８８】
また、桁材本体71の端部には、円筒状の第１の調整管部74の一端側が摺動可能に内嵌される。
【００８９】
この第１の調整管部74の桁材本体71側である一端側には、周方向に沿って互いに離間して配置された複数、例えば８つの貫通孔75が設けられている。
【００９０】
これら貫通孔75は、第１の調整管部74の周方向に沿って所定の角度、例えば４５°ずつ変位するように離間して配置されており、これら貫通孔75にて第１の固定孔部76が構成される。
【００９１】
そして、第１の選択孔部72と、第１の調整管部74と、第１の固定孔部76とで第１の調整部材77が構成される。
【００９２】
すなわち、桁材本体71に対して第１の調整管部74を摺動させて長さを調整し、第１の選択孔部72の貫通孔73のうちの１つと、第１の固定孔部76の貫通孔75のうちの１つとが重なった状態で、これら貫通孔73および貫通孔75にボルト78を挿入しナット79を螺着することによって、第１の調整部材77にて桁材本体71の端部からの長さが調整された状態で固定される。
【００９３】
図６（ａ）および図６（ｂ）に示すように、第１の調整管部74の他端側には、互いに離間した複数、例えば８つの貫通孔81が設けられている。
【００９４】
また、第１の調整管部74の他端側には、第２の調整管部82が接続されており、この第２の調整管部82の先端部、すなわち第１の調整管部74とは反対側の端部には、支持板部17間に挿入可能な略矩形板状の接続板部83が一体に設けられている。
【００９５】
貫通孔81は、第１の調整管部74の周方向において所定の角度、例えば４５°ずつ変位し、かつ、軸方向において所定の間隔、例えば軸方向における各貫通孔81同士の中心部の距離が１０ｍｍとなる間隔で互いに離間し、周方向に対して傾斜した直線上に配置されている。また、これら貫通孔81により第２の固定孔部84が構成される。
【００９６】
第２の調整管部82は、一端側が第１の調整管部74の外側に摺動可能でかつ回転可能に嵌合される円筒状である。
【００９７】
この第２の調整管部82には、互いに離間した複数、例えば８つの貫通孔85が設けられている。
【００９８】
貫通孔85は、第２の調整管部82の周方向において所定の角度、例えば４５°ずつ変位し、かつ、軸方向において第２の固定孔部84の貫通孔85の間隔とは異なる間隔、例えば軸方向における各貫通孔85同士の中心部の距離が２０ｍｍとなる間隔で互いに離間し、周方向に対して傾斜した直線上に配置されている。また、これら貫通孔85により第２の選択孔部86が構成される。
【００９９】
そして、第２の固定孔部84と、第２の調整管部82と、第２の選択孔部86とで第２の調整部材87が構成される。
【０１００】
すなわち、第１の調整管部74に対して第２の調整管部82を回転させながら摺動させて長さを調整し、第２の選択孔部86の貫通孔85と第２の固定孔部84の貫通孔81とが重なった状態で、これら貫通孔81および貫通孔85に図示しないボルトを挿入し図示しないナットを螺着することにより、第２の調整部材87にて支柱２への長さを調整した状態で固定される。
【０１０１】
接続板部83は、桁材本体71の軸方向における中心部よりやや先端側に貫通孔88が設けられており、この貫通孔88と支持板部17の貫通孔19とが重なった状態にて、これら貫通孔88および貫通孔19にボルトを挿入しナットを螺着して、第２の調整管部82および接続板部83が支持板部17に固定される。
【０１０２】
そして、桁材１の長さを調整する際には、まず、第１の調整部材77にて大まかに長さ調整した後、第２の調整部材87にて長さを微調整して、接続板部83を連結部５に連結する。
【０１０３】
第１の調整部材77にて長さを調整する際には、桁材本体71に対して第１の調整管部74を軸方向に沿って摺動させ所定の長さにして、第１の固定孔部76の貫通孔75の１つおよび第１の選択孔部72の貫通孔75の１つにボルト78を挿入し、ナット79を螺着する。
【０１０４】
第２の調整部材87にて長さを微調整する際には、第１の調整管部74に対して第２の調整管部82を摺動させるとともに回転させて、重ね合わせる貫通孔81および貫通孔85を変更する。
【０１０５】
この第２の調整部材87では、桁材本体71の軸方向における第２の固定孔部84の貫通孔81同士の間隔と、第２の選択孔部86の貫通孔85同士の間隔とが異なるため、重ね合わせる貫通孔81および貫通孔85の位置に応じて、複数種の間隔で長さを調整できる。
【０１０６】
ここで、連結部５に接続板部83を接続するには、支持板部17間に接続板部83を挿入する必要があるため、支持板部17と接続板部83とを平行な状態にする必要がある。
【０１０７】
そこで、第１の固定孔部76が第１の調整管部74の周方向に沿って配置された複数の貫通孔75を有することにより、長さ調整後に第１の調整管部74と第２の調整管部82とを固定した状態でも、これら第１の調整管部74および第２の調整管部82を桁材本体71に対して回転させて、第１の選択孔部72と固定する貫通孔75の位置を変更できるため、第１の調整管部74と第２の調整管部82との位置関係を変更することなく、適切な長さのまま固定できる。
【０１０８】
したがって、上記第４の実施の形態によれば、第１の調整部材77にて大まかな長さを調整した後に、図示しないボルトの大きさや形状に影響されることなく、第２の調整部材87にて桁材本体71の軸方向における支柱２への長さを微調整でき、簡単な構成で所望の長さに正確に調整できる。
【符号の説明】
【０１０９】
１    桁材
２    支柱
３    桁材本体
５    連結部
６    調整接続部
19    貫通孔
31    第１の調整部材
32    第２の調整部材
33    第１の接続体としての調整管部
34    貫通孔
35    第１の選択孔部
38    貫通孔
39    第１の固定孔部
41    第２の接続体としての調整板部
42    貫通孔
43    第２の選択孔部
46    第２の固定孔部
【図１】
0006489643.tif 000002
【図２】
0006489643.tif 000003
【図３】
0006489643.tif 000004
【図４】
0006489643.tif 000005
【図５】
0006489643.tif 000006
【図６】
0006489643.tif 000007